(57)【要約】【課題】  異なる使用頻度を有する複数の印判を直接積層した状態で収納し、その状態で簡単に取り出し、かつ使用した印判の最上段への再収納を容易に行うことのできる印判ケースを提供すること。また、この操作により、使用頻度順に印判が上部より並び、印判を選択し、取り出す操作が迅速化されること。【解決手段】  印判１２を複数重ねた状態で収納可能で前面が印判１２を出し入れ自由に解放された収納部１４と、収納部１４を保持する保持枠１６とを有する印判ケース１０であって、収納部１４は、左右の一方側及び／又は背面側に向かって低くなるように傾斜する底面部材２０と、底面部材２０の左右何れかの低くなっている側に底面部材２０に対し鈍角をなすように設けられた側面部材２２と、底面部材２０の低くなっている背面側に底面部材２０に対して鈍角をなすように設けられた背面部材２４と、を有する。【選択図】  図１
2006076008.tif 000002
【特許請求の範囲】
【請求項１】
印判を複数重ねた状態で収納可能で前面が前記印判を出し入れ自由に解放された収納部と、この収納部を保持する保持枠とを有する印判ケースにおいて、
前記収納部は、
左右の一方側及び／又は背面側に向かって低くなるように傾斜する底面部材と、
該底面部材の左右何れかの低くなっている側に該底面部材に対し鈍角をなすように設けられた側面部材と、
前記底面部材の低くなっている背面側に前記底面部材に対して鈍角をなすように設けられた背面部材と、を有することを特徴とする印判ケース。
【請求項２】
前記収納部の前面から背面部材までの奥行きは、前記印判が前記前面から所定の長さ突出した状態で前記収納部に収納される寸法を有することを特徴とする請求項１に記載の印判ケース。
【請求項３】
機械的な振動を発生させ、この振動により前記収納部を振動させる振動発生部が設けられたことを特徴とする請求項１又は２の何れかに記載の印判ケース。
【請求項４】
前記振動発生部の前記振動の発生と停止の操作を行うスイッチと、
前記振動の発生後、前記振動が停止するまでの時間を所定の時間に設定可能なタイマーが設けられたことを特徴とする請求項３に記載の印判ケース。
【請求項５】
前記収納部の前記振動を吸収する振動吸収器が、下部に設けられたことを特徴とする請求項３又は４の何れかに記載の印判ケース。
【発明の詳細な説明】
【技術分野】
【０００１】
本願発明は、印判を積層して収納する印判の収納ケースに関する。
【背景技術】
【０００２】
印判は種々の書類作製の場で用いられており、例えば、病院においてはカルテや業務報告書類等を作成するため、また、経理部門等においては種々の科目を表示するため等に用いられている。
【０００３】
通常、この様な印判の形状は使用の便宜上等の理由により略直方体形状の本体を有しており、一方の面が押印する文字が刻まれたゴム面、その反対側の面が押印する文字を表示した表示面とされている。そして、印判は、印判ケース等に収納されるが、使用する印判の数が多くなると、印判を使い易く適切に収納する印判ケースが必要となる。
【０００４】
図６は、印判の収納に使用される従来の印判ケースの例を示した説明図である。同図に示された印判ケース１００は、例えば、科目印１０２（以降、印判１０２とする）を収納するためのもので、印判１０２を収納する２つの収納枠体１０４−１、１０４−２がその背面部を向かい合わせにして、略三角型に傾斜させて設けられている。すなわち、両面側から印判１０２の出し入れを行うように構成している。この収納枠体１０４−１、１０４−２には、縦方向の仕切板１０５と横方向の仕切板１０７によって構成された複数の収納枠１０８が升目状に設けられており、収納部１０４−１、１０４−２の前面から収納枠１０８に個々の印判１０２を収納するようになっている。なお、収納枠体１０４−１、１０４−２は、回転支持台１１０によって回転自由に支持されている。
【０００５】
この印判ケース１００に印判を収納する方法としては、印判１０２の押印する文字に基づいて順番を決めて収納する方法や印判１０２の予想される使用頻度に応じた順番で収納する方法がある。これらの収納方法は、印判の使用事情等に適合するように選択されるが、上述の病院等における使用の様に多数の印判が使用されかつ使用頻度に差がある様な場合、適切な収納方法が特に重要になる。
【発明の開示】
【発明が解決しようとする課題】
【０００６】
ここで使用頻度の異なる複数の印判を効率的に出し入れできる様に収納する一方法として、印判を縦方向に直接的に積層して収納し、使用のために収納状態から取り出した印判を最上部に戻して再収納するという方法が挙げられる。この方法によれば、当初無作為に収納した場合でも、取り出しと再収納を開始して一定期間経過後には、使用頻度の高い印判は積層して収納された印判の上部に位置し、使用頻度の低い印判は下部に位置するようになる。すなわち、使用頻度の高い印判は高い位置に集まっており、それ以外の印判は下方部分に集まっている状態となる。つまり使用頻度の高い順に上部から並ぶことになる。従って、印判を捜す作業が容易になり、また、使用後は積載された印判の最上部に載せればいいので、捜し動作、取り出し戻しの動作を簡単に行うことが可能となる。
【０００７】
しかし、上記収納方法を適切に行うためには、水平方向の仕切りのない状態で積層された複数の印判から所定の印判を容易に取り出すことのできる印判収納ケースが必要とされる。すなわち、印判が直接積層された状態にある場合、途中から１つの印判を抜き出す指が掛かり難く、またその上下に位置する印判が一緒に引っ張られて出てくるのでこれを防ぎつつ抜き出しを行わなければならず煩雑となる。
【０００８】
一方、上述の図６に示したような従来の印判ケース１００では、仕切板１０７の存在により印判を直接積層することができないので、上記好ましい印判の収納方法を採ることはできない。すなわち、印判の再収納の度に収納枠１０８に収納された印判を全体的に再収納する必要が生じ、効率的な収納を行うことができない。
【０００９】
本願発明は、印判を積層して収納し、使用した印判を積層された印判の最上部に戻して再収納するという印判の収納方法を採用した場合でも、印判の取り出しと、再収納を容易に行うことができる印判ケースを提供することを目的としてなされたものである。
【課題を解決するための手段】
【００１０】
請求項１に係る印判ケースは、
印判を複数重ねた状態で収納可能で前面が前記印判を出し入れ自由に解放された収納部と、この収納部を保持する保持枠とを有する印判ケースにおいて、前記収納部が左右の一方側及び／又は背面側に向かって低くなるように傾斜する底面部材と、該底面部材の左右何れかの低くなっている側に該底面部材に対し鈍角をなすように設けられた側面部材と、前記底面部材の低くなっている背面側に前記底面部材に対して鈍角をなすように設けられた背面部材と、を有している。
【００１１】
この構成により、複数の印判を直接重ねて、すなわち積層して収納し、取り出して使用した印判は積層された印判の最上部に戻すという収納方法を容易に行うことが可能になる。すなわち、この印判ケースの利用者においては、底面部材、側面部材及び背面部材の傾斜に合わせて、それらの部材に沿うように印判を収納することが可能となる。こうして収納された印判は、傾斜した各部材に沿って、それぞれ位置ずれした積層状態となっている。したがって、印判の端部側は階段状にずれた状態となっており、それぞれの印判の端部が段差状に露出しているので、その部分に指を掛けるなどして簡単に所望の印判を掴むことができる。この所望の印判の把持作業は、印判が位置ずれなく積層された状態にある場合に比べはるかに容易なものとなる。
【００１２】
また、使用後の収納は、各印判は各収納枠に収められているものではないので、最上段に載置する作業を容易に行うことができる。この様に、上述の使用頻度の高い印判を常に上部位置に集めておくための好適な収納法を的確に実現することができる。
【００１３】
請求項２に記載の印判ケースは、
請求項１に記載の構成を備える印判ケースであって、収納部の前面から背面部材までの奥行きは、印判が前面から所定の長さ突出した状態で収納部に収納される寸法を有することを特徴とする。これにより、印判ケースの前面から突出した部位を把持することで印判の取り出しが容易になる。また、使用した印判を積層して収納された印判の最上部に戻す動作も容易になる。
【００１４】
請求項３に記載の印判ケースは、請求項１又は２の何れかに記載の印判ケースであって、機械的な振動を発生させ、この振動により前記収納部を振動させる振動発生部が設けられたことを特徴とする。この様に収納部を振動させることで積層された印判はそれぞれ少しずつ移動し、傾斜した側面部材及び／又は背面部材に沿った積層状態となる。この振動による印判の移動は、底面部材が傾斜していることから的確に行われる。これにより、利用者は、積層された印判を取り出す際に、積層された印判が側面部材や背面部材に沿って好適にズレた良好な積層状態でないときに適宜、振動発生部を作動させることで、簡単に好適なズレ状態を確保し、印判の取り出しやすい状態とすることができる。また、この振動発生部を印判の取り出し動作中に作動させることで、スムーズな印判の取り出しを行うことも可能となる。
【００１５】
これは、積層状態では印判相互間に静止摩擦力が働いており、この摩擦力が積層された印判を取り出す際に円滑な取り出しの妨げとなるが、振動発生部により収納部を振動させて印判を振動させることで、印判相互間に働く摩擦力が軽減されることによるものである。従って、積層された印判は動きやすくなり、その取り出しが容易なものとなり、また、底面部材の傾斜方向に沿って動き、上記好適な位置ずれ積層状態が得られるものである。
【００１６】
請求項４に記載の印判ケースは、請求項３に記載の印判ケースであって、振動発生部の前記振動の発生と停止の操作を行うスイッチと、振動の発生後、前記振動が停止するまでの時間を所定の時間に設定可能なタイマーが設けられたことを特徴とする。
【００１７】
すなわち、スイッチとタイマーにより収納部の振動と振動の停止を行うものである。スイッチは、手動によって操作する押しボタン式スイッチの他、収納ケースへの利用者の手の接近を検知してＯＮ、ＯＦＦを行うものや、印判が不適切にズレて積層されていることを検知して上記切り替えを行う非接触式スイッチ等が使用可能である。
【００１８】
請求項５に記載の印判ケースは、請求項３又は４の何れかに記載の印判ケースであって、収納部の振動を吸収する振動吸収器が、下部に設けられたことを特徴とする。
【００１９】
これにより、振動発生部により発生した振動をこの振動吸収器で吸収することができる。すなわち、振動発生部により発生した振動に起因して、印判ケースが載置された机などの部位に伝わる振動を弱くし、付近の他の機器等への影響を無くすことができる。
【発明の効果】
【００２０】
本発明に係る印判ケースによれば、収納部の底面部材や側面部材等の傾斜により、各印判がそれぞれ同方向に位置ずれした状態、すなわち端部に段差を付けた状態で積層されるので、複数の印判を直接積層した状態でも必要な印判を容易に抜き出し、使用後は簡単に最上段に戻すことが可能となる。これにより、印判の使用頻度の高いものが取り出し易い上部位置に集まるようになる。また、印判を直接積層するため、ケース全体を従来のものに比べコンパクトにできる。
【発明を実施するための最良の形態】
【００２１】
次に、本発明に係る最もシンプルな実施の形態について図面に基づいて説明する。図１は、本実施の形態にかかる印判ケース１０の構成を説明する斜視図である。図に示したように、印判ケース１０は、主に印判１２を収納する収納部１４と、収納部１４を保持する保持枠１６で構成されている。
【００２２】
収納部１４は、印判１２を積層して収納する部位であり、底面部材２０と、図中矢印２００で示した左右方向の一方に設けられた側面部材２２と、背面側に設けられた背面部材２４とで構成されている。これら底面部材２０等の構成部材は、例えば、木材やプラスチック又は金属等で形成された略長方形の板状体で構成されている。
【００２３】
なお、後述するが（図２及び図３）、底面部材２０は図上左側に向かって角度αだけ傾斜しており、底面部材２０の傾斜の低い側に設けられた側面部材２２は底面部材２０に対して鈍角βを形成している。また、底面部材２０の背面側に向かって角度γだけ傾斜し、背面部材２４は底面部材２０に対して鈍角δを形成している。
【００２４】
収納部１４は、背面部材２４に対向する前面が解放面、すなわち構成部材が存在しない状態となっており、この解放面側から印判１２の出し入れが行われる。また、本実施の形態では、２枚の仕切板３０−１、３０−２が図示しない留付ネジで背面部材２４の裏側で留付けられて設けられており、これら仕切板３０−１、３０−２は留付ネジをゆるめることによって収納部１４の左右方向（矢印２００方向）にスライドできるようになっている。この仕切板３０−１、３０−２により、印判１２が複数列積層して収納されるものである。この仕切板３０の設置枚数は２枚に限られるものではなく適宜変更することができる。
【００２５】
また、底面部材２０、側面部材２２及び仕切板３０の幅（奥行き長さ）は、印判１２の長さよりも短い長さとされており、印判１２が積層して収納された状態においてケース前面から印判１２は所定長さ突出した状態となる。
【００２６】
次に、本発明における特徴的な構成要素である各部材の傾斜すなわち底面部材２０の側面部材２２方向の傾斜と、底面部材２０と側面部材２２とがなす鈍角と、底面部材２０の背面部材２４方向への傾斜と、底面部材２０と背面部材２４とがなす鈍角について説明する。
【００２７】
図２は、図１に示した印判ケース１０を正面から見た説明図であり、収納部１４に印判１２が積層して収納された状態を示している。図示のように底面部材２０は、図上左方向に低くなるように水平面Ａに対し、角度αだけ傾斜させて設けられている。そして、側面部材２２は、底面部材２０に対して鈍角βをなすようにして設けられている。
【００２８】
次に、図３は、図１に示した印判ケース１０を側面から見た要部断面説明図である。図示のように、底面部材２０は、上記角度αの側面部材２２方向への傾斜状態に加え、背面側（背面部材２４側）にも低くなるように、水平面Ｂに対し角度γだけ傾斜させて設けられている。そして、背面部材２４は、底面部材２０と鈍角δをなすように設けられている。
【００２９】
この様な各部材の傾斜によって、利用者は特別な収納動作を行うことなく、例えば、側面部材２２や背面部材２４に沿わせるように印判１２を載置するだけで、後述する所望の印判積層状態を得ることができる。
【００３０】
図４は、上述の構成を有する印判ケース１０に印判１２を側面部材２２と背面部材２４に沿って積層して収納した状態を上面から見た説明図である。このように印判１２は側面部材２２と背面部材２４の傾斜角に従ってそれぞれ位置ずれして積層され、端部は階段状を成している。
【００３１】
以上の構成により、印判ケース１０に、印判１２を側面部材２２と背面部材２４に沿わせるように直接重ねて積層して収納することにより、上記図４に示した好適に位置ずれした状態での印判積層状態が得られ、所望の印判１２を取り出して使用した後、積層された印判の最上部に戻すという収納方法を容易に行うことが可能になる。
すなわち、図４に示された状態で積層された印判１２は上層に行くにつれ側面部材２２側及び背面部材２４側の両方向に位置ずれした階段状の積層状態となっており、図示のように外側に突出した印判１２の縁部には段差部１３が形成される。使用者は、この段差部１３に持手の指を当てることが可能になる。すなわち各印判１２がそれぞれ別の枠内に納められるのではなく直接積層された状態となっている状態においても積層の中間位置にある印判１２を簡単に取り出すことができるものである。なお、この様な状態は、仕切板３０によって形成される収納部においても同様に得られるものである。
【００３２】
図５は、本発明にかかる印判ケースの他の実施の形態を示した説明図である。なお、図１〜４と同様の要素には同一の符号を付しその説明を省略する。本実施の形態において特徴的なことは、収納部１４に振動発生部４２が設けられている。振動発生部４２は、一定の機械的振動を発生させるもので、この機械的振動により収納部１４に振動を与え、積層収納された印判１２を振動させるものである。本実施の形態では、底面部材２０と側面部材２２のそれぞれに振動発生部４２が設けられており、これら振動発生部４２の駆動操作を行うためのスイッチ４６が保持枠１６の外側面に設けられている。更に、本実施の形態では、振動発生部４２の駆動時間を制御するタイマー４８が設けられており、スイッチ４６がＯＮされた後、一定時間（限定するものではないが、例えば３秒〜１０秒程度）駆動するように制御するものである。
【００３３】
この振動発生部４２による収納部１４の振動は、積層された印判１２を振動させ、印判相互に働く摩擦力を低減させ、底面部材２０，側面部材２２（もしくは仕切板３０）及び背面部材２４に沿った積層状態とするためのものであり、これにより、振動発生部４２の作動後は、印判１２の積層状態は的確な状態となっている。すなわち、傾斜した底面部材２０上にある印判１２はその傾斜によって移動し、側面部材２２，背面部材２４に沿った積層状態となる。したがって、積層の中間位置から所望の印判１２を取り出し易い状態となっている。
【００３４】
更に、この振動発生部４２の作動は、積層状態の修正のためだけでなく、利用者が印判１２を取り出す作業を行っている最中にも好適に機能する。すなわち、取り出し作業中に積層された印判１２が振動することにより、印判相互間に働く摩擦力を軽減させ抜き出し作業を容易なものとすることができるものである。また、手汗などにより密着状態となっている印判相互を離して取り出しやすくする作用も奏することができる。その様な場合、スイッチ４６は、手動によって操作する押しボタン式スイッチに限られず、収納ケースへの利用者の手の接近を検知してＯＮ、ＯＦＦを行うものでも良い。
【００３５】
更に、振動発生部４２は、印判１２の上記取り出し時以外に、収納部１４に積層して収納された印判１２が不的確な積層状態となっている場合に、これを光学的検知手段などで検知し、これを修正するために自動的に作動するように構成しても良い。
【００３６】
また、本実施の形態では、保持枠１６の下部、すなわち印判ケース１０の底部には、振動吸収部６０が設けられている。振動吸収部６０は、振動発生部４２による振動を吸収し、印判ケース１０が載置された部位、例えば机に伝わる振動を弱くするものであり、本実施の形態では板状のゴム材で構成されている。この振動吸収部６０は、上述のように振動を吸収するように構成されていれば良く、上記ゴム材の他に、ビニール製の袋に糊等の粘体を充填して使用しても良い。
【００３７】
本発明は、上述の実施の形態の構成に限定されるものではなく、本発明の要旨の範囲内で種々の変更が可能である。例えば、振動発止部４２は底面部材２０と側面部材２２に設置した例を示したが、底面部材２０と側面部材２２は互いに固定された部材であるので設置箇所は一ヶ所でも良い。また、振動発生部４２の構成は、バイブレータとして種々用いられている公知の構成の物で足りる。
【図面の簡単な説明】
【００３８】
【図１】本発明にかかる印判ケースの構成を説明する斜視図である。
【図２】図１に示した印判ケースを正面から見た説明図である。
【図３】図１に示した印判ケースを側面から見た要部断面説明図である。
【図４】図１に示した印判ケースに印判を積層して収納した状態を上面から見た説明図である。
【図５】本発明にかかる印判ケースの他の実施の形態を示した説明図である。
【図６】従来の技術例を説明した図である。
【符号の説明】
【００３９】
１０  印判ケース
１２  印判
１４  収納部
１６  保持枠
２０  底面部材
２２  側面部材
２４  背面部材
４２  振動発生部
４６  手動式スイッチ
４８  タイマー
６０  振動吸収部
【図１】
2006076008.tif 000003
【図２】
2006076008.tif 000004
【図３】
2006076008.tif 000005
【図４】
2006076008.tif 000006
【図５】
2006076008.tif 000007
【図６】
2006076008.tif 000008